(57)【要約】【課題】  簡易な手段により、対象物に耐チッピング塗料のコーティング膜を粗く形成できる噴射ボタンを提供する。【解決手段】  本発明は、耐チッピング成分を含む溶液と噴射剤とが充填されたエアゾール容器の口部に装着されると共に、前記エアゾール容器から前記溶液を噴射させる噴射ボタンであって、長さが５ｍｍ〜１０ｍｍとされ、直径が２．０ｍｍ〜３．０ｍｍとされたノズル孔が内部に形成されると共に、該ノズル孔から前記溶液を外部へ噴射させるノズルを備えたことを特徴とする。【選択図】      図１
2020037430.tif 000002
【特許請求の範囲】
【請求項１】
耐チッピング成分を含む溶液と噴射剤とが充填されたエアゾール容器の口部に装着されると共に、前記エアゾール容器から前記溶液を噴射させる噴射ボタンであって、
長さが５ｍｍ〜１０ｍｍとされ、直径が２．０ｍｍ〜３．０ｍｍとされたノズル孔が内部に形成されると共に、該ノズル孔から前記溶液を外部へ噴射させるノズルを備えたことを特徴とする噴射ボタン。
【請求項２】
前記ノズル孔の直径が２．０ｍｍ又は２．５ｍｍであることを特徴とする請求項１に記載の噴射ボタン。
【請求項３】
噴射ボタンと、前記噴射ボタンが装着されるエアゾール容器とを備えるエアゾール噴射器であって、
前記噴射ボタンに、請求項１又は２に記載の噴射ボタンを適用したことを特徴とするエアゾール噴射器。
【発明の詳細な説明】
【技術分野】
【０００１】
本発明は、噴射ボタン及びエアゾール噴射器に関し、例えば、エアゾール製品に適用し得る。
【背景技術】
【０００２】
自動車車体の下部構造部、例えば、ロッカーパネル部（サイドシル部）等においては、自動車走行時にタイヤが撥ね上げる小石や砂利等の衝突により塗膜が剥がされるというチッピング現象が発生する。このため、走行中の石・砂跳ね等から車体を保護してこのチッピング現象を防止すべく、車体パネル（鈑金）の表面に、アンダーコートとして耐チッピング塗料を塗装して、車体保護用のコーティング膜を形成している。
【０００３】
ところで、自動車事故などの原因により車体パネル（鈑金）に損傷が生じた場合には、まず、修理作業員により鈑金が元の形に修復される。そして、修復した鈑金（元の塗膜が完全に剥がされた状態）に、耐チッピング塗料（例えば、特許文献１）を含有したエアゾールスプレーを噴射してコーティング膜を形成する（その後、形成された膜上に車体の色が塗装される）。
【先行技術文献】
【特許文献】
【０００４】
【特許文献１】特開昭５９−０３３３６５号公報
【発明の概要】
【発明が解決しようとする課題】
【０００５】
近年、自動車を組み立てる塗装工程において、自動車下部の鈑金（ロッカーパネル部等）のコーティング膜が粗く形成されるようになってきている。例えば、ホンダの「フィット」のロッカーパネルは、コーティング膜が粗く形成されている（より具体的には、コーティング膜の山と谷の差（凹凸の差）が拡大している）。
【０００６】
上記理由により、修理時においても、工場出荷時に合せてコーティング膜を粗く形成する必要がある。
【０００７】
しかしながら、既存のエアゾールスプレー（修理時に用いるエアゾールスプレー）は、細かい粒子を霧状に噴射することを主目的としているため、仮に、既存のエアゾールスプレーを用いて、耐チッピング塗料のコーティング膜を形成したとしも、凹凸の差が十分に形成できない。すなわち、修理時のコーティング膜の状態は、工場出荷時（鈑金損傷前）の状態とは異なってしまう。
【０００８】
自動車メーカーは、コーティング膜を粗く形成するために専用の設備を導入できるが、修理業者は、資金に限りがあるために、耐チッピング塗料を含有したエアゾールスプレー等の製品を使わざる得ない実情がある。
【０００９】
そのため、簡易な手段により、対象物に耐チッピング塗料のコーティング膜を粗く形成できる噴射ボタン及びエアゾール噴射器が望まれている。
【課題を解決するための手段】
【００１０】
第１の本発明は、耐チッピング成分を含む溶液と噴射剤とが充填されたエアゾール容器の口部に装着されると共に、前記エアゾール容器から前記溶液を噴射させる噴射ボタンであって、長さが５ｍｍ〜１０ｍｍとされ、直径が２．０ｍｍ〜３．０ｍｍとされたノズル孔が内部に形成されると共に、該ノズル孔から前記溶液を外部へ噴射させるノズルを備えたことを特徴とする。
【００１１】
第２の本発明は、噴射ボタンと、前記噴射ボタンが装着されるエアゾール容器とを備えるエアゾール噴射器であって、第１の本発明の噴射ボタンを適用したことを特徴とする。
【発明の効果】
【００１２】
本発明によれば、簡易な手段により、対象物に耐チッピング塗料のコーティング膜を粗く形成できる。
【図面の簡単な説明】
【００１３】
【図１】実施形態に係るエアゾール噴射器において、噴射ボタンをエアゾール容器に装着する前の状態を示す図である。
【図２】実施形態に係る噴射ボタンを下方から見た場合の図である。
【図３】実施形態に係る噴射ボタンの断面を示す図である。
【図４】実施形態に係るノズル孔の直径を変えてテストサンプル紙上の凹凸膜の状態を比較した結果表を示す図である。
【図５】実施形態に係る凹凸膜が形成されたテストサンプル紙の断面図である。
【発明を実施するための形態】
【００１４】
（Ａ）主たる実施形態
以下では、本発明に係る噴射ボタン及びエアゾール噴射器の実施形態を、図面を参照しながら詳細に説明する。
【００１５】
（Ａ−１）実施形態の構成
［エアゾール噴霧器］
本実施形態に係るエアゾール噴射器１は、図１に示すように、エアゾール容器１０と、エアゾール容器１０に装着される噴射ボタン２とを有する。
【００１６】
まず、エアゾール容器１０の構成について説明する。
【００１７】
エアゾール容器１０は、例えば、スチール製、アルミニウム製等の金属容器、プラスチック製容器（ポリエチレン、ポリプロピレン、ポリエチレンテレフタレート、ポリスチレン、塩化ビニル等）、及びガラス製容器が用いられる。
【００１８】
エアゾール容器１０の内部には、耐チッピング塗料を含む溶液と、噴射剤とが充填されている。
【００１９】
耐チッピング塗料としては、例えば、ゴム質樹脂（例えば、ポリ塩化ビニル系樹脂）を用いた各種の耐チッピング用塗料が適している。
【００２０】
エアゾール容器１０の具体例として、商品名「ラバーチッピング」（イチネンケミカルズ製）、商品名「ロッカーガード」（スリーエム製）を挙げることができる。
【００２１】
［噴射ボタン］
次に、噴射ボタン２の構成について、図１〜図３を挙げて説明する。
【００２２】
噴射ボタン２は、エアゾール容器１０内から溶液を噴射させるためのものであり、図１に示すように、エアゾール容器１０の上部に取り付けられるボタン本体２１を備えている。
【００２３】
ボタン本体２１の内周面には、図２及び図３に示すように、ボタン本体２１の周方向に沿って形成された第１嵌合部２３が設けられている。ここで、エアゾール容器１０の上部の外周部には、凸状をした巻締部１２が形成されている（図１参照）。この巻締部１２が第１嵌合部２３と嵌合し、ボタン本体２１がエアゾール容器１０に取り外し可能に取り付けられる。その際、噴射ボタン２（第２嵌合部２４）がエアゾール容器１０の口部１１に装着される。
【００２４】
ボタン本体２１には、図１〜図３に示すように、押下部２２が設けられ、この押下部２２を指で押し下げることが可能となっている。噴射ボタン２がエアゾール容器１０に装着された状態において押下部２２を下方へ押すことにより、エアゾール容器１０の口部１１が下方に押され、その口部１１の下方に設けられたバルブ（図示省略）が開放され、所定の圧力で加圧されている溶液が、口部１１から噴射する構成となっている。
【００２５】
この押下部２２には、エアゾール容器１０内の溶液を外部へ噴射させるノズル３が設けられている。このノズル３は、横方向に延びており、押下部２２に着脱可能に取り付けられている。
【００２６】
また、ノズル３の内部には、略円形状のノズル孔３Ａが形成されている。このノズル孔３Ａの長さは、例えば、５ｍｍ〜１０ｍｍである。さらに、ノズル孔３Ａの直径（内径）は、１．５ｍｍ〜４．０ｍｍとされ、望ましくは、２．０ｍｍ〜３．０ｍｍである。
【００２７】
ノズル孔３Ａの直径が１．５ｍｍ未満であると、ノズル３から噴射される溶液の粒子が細かくなり、凹凸の塗膜（耐チッピング塗料の塗膜）を形成（粗く形成）できなくなってしまう。一方、ノズル孔３Ａの直径が３．０ｍｍを超えた場合は、ノズルから噴射される溶液の粒子が粗くなりすぎて、液だれが起こりやすく、スプレー不良が生じる。なお、このノズル３は、押下部２２と一体で成形されても良い。
【００２８】
押下部２２の内部には、上下左方向の通路２５が形成され、この通路２５とノズル孔３Ａとが合流部２６で連結されている。この通路２５は、断面略円形状をしており、この通路２５及び合流部２６によって、エアゾール容器１０の口部１１とノズル孔３Ａとを連通させる連通路が形成される。
【００２９】
また、通路２５の底部に、エアゾール容器１０の口部１１が当接される。エアゾール容器１０の口部１１が下方に押され、口部１１から溶液（耐チッピング塗料含有）が噴射すると、溶液は、通路２５へ流入する。通路２５へ流入した溶液は、合流部２６及びノズル孔３Ａを通過して外部に噴射される。ノズル孔３Ａを通過して外部へ噴射される溶液は、減圧による噴射剤の急激な膨張により、霧状になる。
【００３０】
次に、本実施形態について作用を説明する。
【００３１】
まず、ユーザは、ノズル３を対象物（ロッカーパネル等）へ向けて、エアゾール容器１０を把持し、押下部２２を指で押して、押下部２２を押し下げる。
【００３２】
通路２５に差し込まれたエアゾール容器１０の口部１１が下方へ押し下げられ、口部１１の下方にあるバルブ（図示省略）が開放される。エアゾール容器１０内の溶液が口部１１から噴出する。噴出した溶液は、通路２５へ流入し、合流部２６を介して、ノズル孔３Ａを通じて、対象物へ噴射される。これにより、対象物に溶液が付着し、凹凸の塗膜が形成される。
【００３３】
ここで、本実施形態の構成では、ノズル孔３Ａの直径が２．０ｍｍ〜３．０ｍｍとされているため、噴射された溶液の粒子径が大きくなり、粗い凹凸膜を形成できる。
【００３４】
次に、本発明の効果を確かめるために行った比較試験について説明する。
【００３５】
この試験では、一定の温度条件のもと、無風状態の室内において、噴射ボタン２のノズル３に形成されたノズル孔３Ａの直径（内径）をそれぞれ変え（ノズル孔３Ａの長さは約８.４５ｍｍで固定）、その噴射ボタン２を装着したエアゾール容器１０から、１５〜２０ｃｍ程離れたテストサンプル紙に向けて溶液を噴射し、自然乾燥を行った。
【００３６】
この試験では、テストサンプル紙に向けての溶液の噴射と自然乾燥の動作を１セットとして、合計５セット行った。また、噴射ボタン２が装着されるエアゾール容器としては、商品名「ラバーチッピング」（イチネンケミカルズ製）を使用した。
【００３７】
図４は、実施形態に係るノズル孔の直径を変えてテストサンプル紙上の凹凸膜の状態を比較した結果表１００を示す図である。
【００３８】
図４に示すように、試験により形成された凹凸膜の状態は、ノズル孔直径（内径）Ｆ１ごとに、テストサンプル紙上の山の数（一定範囲）Ｆ２、山の数（断面）Ｆ３、高低差Ｆ４で示されている。
【００３９】
山の数（一定範囲）Ｆ２は、テストサンプル紙上の一定範囲（この例では、２ｃｍ×２ｃｍの範囲）内の山（塗膜の山）の数を示している。山は、試験者の目視により山と認識できれば、カウントした。
【００４０】
山の数（断面）Ｆ３は、テストサンプル紙の断面（この例では、横２ｃｍの断面）における山の数を示すものである。図５は、凹凸膜が形成されたテストサンプル紙の断面図であって、鉛直方向の山の状態（凹凸膜の状態）を示している。例えば、図５では、６個の山（Ｍ１〜Ｍ６）が示されている。
【００４１】
高低差Ｆ４は、山の頂点から底までの長さ（距離）を示している。高低差Ｆ４は、市販の電子ノギスを用いて算出した。なお、高低差Ｆ４は、図５に示すように、各山の状態によってバラつきが存在する。従来形成された凹凸膜との最大の違いは、この高低差である。従来は、最大でも１．０ｍｍ程しか高低差がなく、この高低差がないことにより、目視により凹凸膜が荒く形成されていると認識されなかった。なお、山の数（山の数（一定範囲）Ｆ２、山の数（断面）Ｆ３）が多く成る程、凹凸膜が荒く形成されていると認識されることは勿論である。
【００４２】
図５の結果表１００に示すように、各ノズル孔の直径の内、ノズル孔の直径３．０ｍｍが、最も高低差の最大値（０．４１ｍｍ）が大きかった。なお、ノズル孔の直径１．５ｍｍでも、高低差の最大値は、０．１４ｍｍであるため、少なくとも、従来の噴射ボタンを備えたエアゾール缶を用いて、形成した凹凸膜よりも有利な効果は奏する。ただし、例えば、工場出荷時の自動車（ホンダのフィット等）の下部構造部に形成された耐チッピング塗料の凹凸膜と比較すると、粗く形成しているとは実感できない。
【００４３】
粗く形成していると、人が実感できるは、ノズル孔の直径２．０ｍｍ以上（高低差の最大値が０．２０ｍｍ以上）の場合である。
【００４４】
なお、ノズル孔の直径について、３．０ｍｍを超えて設定すると、噴射された溶液の液だれや、噴射された溶液の粒子が粗いことで生じる飛び散りがおきることが想定される。
【００４５】
以上のように、本発明の構成によれば、噴射される溶液の液だれや、噴射された溶液の粒子が粗いことで生じる飛び散りが生じることなく、粗く凹凸面を形成されることが確認された。特に、ホンダのフィット等の自動車車体の下部構造部（ロッカーパネル部等）の修理を行う際に、本発明の構成の噴射ボタン（ノズル孔の直径２．０ｍｍ以上）を備えたスプレーを用いて、粗い凹凸膜を形成すれば、修理前の工場出荷時の状態に限りなく近づけることができる。
【００４６】
なお、この比較試験では、噴射ボタンが装着されるエアゾール容器として、商品名「ラバーチッピング」（イチネンケミカルズ製）を用いた結果を示したが、同様のものとして、商品名「ロッカーガード」（スリーエム製）、商品名「チッピングコート」（石原薬品製）等についても、上記比較試験と同様の結果がでた。
【符号の説明】
【００４７】
１…エアゾール噴射器、２…噴射ボタン、３…ノズル、３Ａ…ノズル孔、１０…エアゾール容器、１１…口部、１２…巻締部、２１…ボタン本体、２２…押下部、２３…第１嵌合部、２４…第２嵌合部、２５…通路、２６…合流部、１００…結果表。
【図１】
2020037430.tif 000003
【図２】
2020037430.tif 000004
【図３】
2020037430.tif 000005
【図４】
2020037430.tif 000006
【図５】
2020037430.tif 000007